(57)【要約】【課題】  特殊再生から通常再生に切り替わる際にも良好な画像を表示可能とする。【解決手段】  通常再生用画像データと、特殊再生用画像データとをテープ状記録媒体上の多数のトラックから再生する再生手段と、再生された特殊再生用画像データを出力する出力手段と、再生された１フレームの特殊再生用画像中正しく再生されたデータ数が第１の閾値よりも小さい場合に前記１フレームの特殊再生用画像データをメモリに保存し、１フレームの特殊再生用画像データ中正しく再生されたデータ数が前記第１の閾値よりも大きい第２の閾値よりも小さい場合に特殊再生用画像データのフレームを更新する制御手段とを備え、サーチ再生モードにおける通常再生モードへの切り替え指示に応じてメモリに保存されている特殊再生用画像データをフリーズ画像として前記出力手段より出力する。【選択図】  図８
2007074524.tif 000002
【特許請求の範囲】
【請求項１】
通常再生用画像データと、１フレームがＮ本のトラックにわたって記録された特殊再生用画像データとをテープ状記録媒体上の多数のトラックから再生する再生手段と、
前記再生手段により再生された特殊再生用画像データを出力する出力手段と、
前記再生手段により再生された１フレームの特殊再生用画像データにおいて正しく再生されたデータ数が第１の閾値よりも小さい場合に前記１フレームの特殊再生用画像データをメモリに保存すると共に、前記１フレームの特殊再生用画像データにおいて正しく再生されたデータ数が前記第１の閾値よりも大きい第２の閾値よりも小さい場合に前記出力手段より出力する特殊再生用画像データのフレームを更新する制御手段とを備え、
前記制御手段は、前記テープ状記録媒体を通常再生時よりも高速に搬送しながら前記特殊再生用画像データを再生するサーチ再生モードにおける通常再生モードへの切り替え指示に応じて、前記メモリに保存されている特殊再生用画像データをフリーズ画像として前記出力手段より出力することを特徴とする再生装置。
【請求項２】
前記特殊再生用画像データは複数のシンクブロックから構成されており、前記制御手段は、エラーを含まない前記シンクブロックの数を前記第１の閾値及び第２の閾値と比較することを特徴とする請求項１記載の再生装置。
【請求項３】
通常再生用画像データと、１フレームがＮ本のトラックにわたって記録された特殊再生用画像データとをテープ状記録媒体上の多数のトラックから再生する再生手段と、
前記再生手段により再生された特殊再生用画像データを出力する出力手段と、
前記出力手段より出力する特殊再生用画像データのフレームを更新すると共に更新直前のフレームの特殊再生用画像データをメモリに保存する制御手段とを備え、
前記制御手段は、前記テープ状記録媒体を通常再生時よりも高速に搬送しながら前記特殊再生用画像データを再生するサーチ再生モードにおける通常再生モードへの切り替え指示に応じて、現在出力中のフレームにおいて正しく再生されたデータ数とその直前に出力していたフレームにおいて正しく再生されたデータ数を比較し、比較結果に応じて前記出力手段より出力する画像データを決定することを特徴とする再生装置。
【請求項４】
前記制御手段は、現在出力中のフレームにおいて正しく再生されたデータ数がその直前に出力していたフレームにおいて正しく再生されたデータ数以上の場合には、前記現在出力中のフレームの特殊再生用画像データをフリーズ画像として前記出力手段より出力し、現在出力中のフレームにおいて正しく再生されたデータ数がその直前に出力していたフレームにおいて正しく再生されたデータ数よりも少ない場合には、前記メモリに保存されている特殊再生用画像データをフリーズ画像として前記出力手段より出力することを特徴とする請求項３記載の再生装置。
【発明の詳細な説明】
【技術分野】
【０００１】
本発明は再生装置に関し、特に特殊再生用画像データを通常再生用の画像データとは別に記録してなる記録媒体から画像データを再生する装置に関する。
【背景技術】
【０００２】
従来、画像データをＭＰＥＧ方式で符号化し、磁気テープに記録する記録装置が知られている。この種の記録装置として、近年、ＨＤＶ方式と呼ばれる民生用のデジタルＶＴＲの規格が策定された。ＨＤＶ方式では、ＭＰＥＧ方式で符号化した通常再生用画像データに加え、特殊再生用画像データを生成し、特殊再生用画像データは、テープ上の特定エリアに記録される（例えば、特許文献１参照）。
【０００３】
図１は、磁気テープのデータ配置図である。図１において、通常再生用画像データはＭＰＥＧ符号化され、１６トラック単位にエラー訂正符号化処理されている。一方、特殊再生用画像データは、８倍速用データと２４倍速用データからなり、８倍速用の特殊再生用データは、エラー訂正符号化処理の単位である１６トラック単位で配置される。このエラー訂正符号化の単位をＥＣＣユニットという。特殊再生用画像データの記録位置は、インターリーブ後の物理的な位置で定義される。
【０００４】
ここで８倍速用のサーチ画像データは、各ＥＣＣユニット内の同じ番号のトラックに配置される。また、１画面の特殊再生用画像データが９個のＥＣＣユニットにわたって記録される。この９個のＥＣＣユニットの一つ一つをサーチユニットと呼び、各サーチユニットには番号「０」〜「８」のいずれかが付与されている。
【０００５】
また、２４倍速用のサーチ画像データは、３ＥＥＣユニット（１６×３＝４８トラック）中で同じトラック位置に配置される。各ＥＣＣユニットには、サーチユニット番号「０」〜「１１」のいずれかが付与されている。
【０００６】
特殊再生用画像データと通常再生用の画像データのフレームの関係について図２を用いて説明する。
【０００７】
ここでは一例として、１５フレームで構成されるＧＯＰを単位とする通常再生用の画像データのフレームと８倍速用のサーチ画像データの関係を説明する。
【０００８】
８倍速用の特殊再生用画像データは、それぞれのＧＯＰの中のＩピクチャから生成される。各ＥＣＣユニットには、サーチユニット番号２０１が付与されている。また、各特殊再生用画像データのシンクブロックヘッダ（ＳＢヘッダ）にはピクチャチェンジカウンタ（以下ＰＣＣ）が付加されている。ＰＣＣは１から３までの値を持ち、特殊再生用画像データのフレーム毎に増加する。
【０００９】
特殊再生用画像データの再生時には、このＰＣＣの値を利用して再生された特殊再生用画像データを記憶する際のメモリアドレスを制御したり、或いは、再生画面の切り替えを制御する。
【００１０】
また、特殊再生から通常再生に切り替わる際、テープ速度を切り替えた後、通常再生用のデータを再生し、デコードが完了するまでの間、再生画像が得られないことになる。
【００１１】
そのため、通常再生用のデータの先頭フレームのデコードが完了するまで、最後に再生した特殊再生用画像データのフレームをフリーズ（静止）画像として表示することが考えられる。
【特許文献１】特開２００４−１５４５７
【発明の開示】
【発明が解決しようとする課題】
【００１２】
しかしながら、前述の様に、特殊再生から通常再生に切り替わる際にフリーズ表示している画像に訂正不能なエラーが多数含まれている場合、図３に示すように、見苦しい画像が表示されてしまうことになる。
【００１３】
特殊再生中であれば、１フレームの特殊再生用画像が表示される期間は短いが、特殊再生から通常再生に切り替わるまでの期間は特殊再生中の表示期間よりも遙かに長い。
【００１４】
そのため、フリーズ表示中の画像にエラーが多く含まれていると、見苦しい画像が長期間表示されることになってしまう。
【００１５】
本発明はこの様な問題を解決し、特殊再生から通常再生に切り替わる際にも良好な画像を表示可能な装置を提供することを目的とする。
【課題を解決するための手段】
【００１６】
本発明によれば、通常再生用画像データと、１フレームがＮ本のトラックにわたって記録された特殊再生用画像データとをテープ状記録媒体上の多数のトラックから再生する再生手段と、前記再生手段により再生された特殊再生用画像データを出力する出力手段と、前記再生手段により再生された１フレームの特殊再生用画像データにおいて正しく再生されたデータ数が第１の閾値よりも小さい場合に前記１フレームの特殊再生用画像データをメモリに保存すると共に、前記１フレームの特殊再生用画像データにおいて正しく再生されたデータ数が前記第１の閾値よりも大きい第２の閾値よりも小さい場合に前記出力手段より出力する特殊再生用画像データのフレームを更新する制御手段とを備え、前記制御手段は、前記テープ状記録媒体を通常再生時よりも高速に搬送しながら前記特殊再生用画像データを再生するサーチ再生モードにおいて、通常再生モードへの切り替え指示に応じて前記メモリに保存されている特殊再生用画像データをフリーズ画像として前記出力手段より出力することを特徴とする。
【発明の効果】
【００１７】
特殊再生から通常再生に切り替わる際にも良好な画像を表示可能とする。
【発明を実施するための最良の形態】
【００１８】
以下、本発明の実施形態について図面を参照しながら説明する。
【００１９】
図４は、本発明の実施形態に係る再生装置の構成を示すブロック図である。
【００２０】
図４の再生装置４００は、ＨＤＶ方式で記録されたデータの再生機能を持つ。
【００２１】
図４において、４０１は再生されたＭＰＥＧデータを復号するデコーダ、４０２はメモリ、４０３はデコードされた画像データを出力する出力部、４０４は再生装置全体を制御するＣＰＵ、４０５は各種の操作スイッチを有する操作キー、４０６は再生画像の他、各種の情報を表示する表示部、４０７はテープＴからデータを再生する再生部、４０８はデータバスである。
【００２２】
テープＴには、図１に示した形態で通常再生用の画像データと特殊再生用画像データとが記録されている。
【００２３】
通常再生時においては、操作キー４０５により再生指示があると、ＣＰＵ４０４は再生部４０７に対し通常再生を指示する。再生部４０７は、テープＴを通常再生速度で搬送しながらテープＴより通常再生用の画像データを再生し、メモリ４０２に出力する。デコーダ４０１は、ＣＰＵ４０４の指示により、メモリ４０２に書き込まれた通常再生用の画像データ（ＭＰＥＧデータ）をデコードし、表示部４０６及び出力部４０３に出力する。表示部４０６はこの様に再生された通常再生用の画像を表示する。
【００２４】
次に、高速再生時の処理について説明する。
【００２５】
まず、特殊再生用画像データについて説明する。
【００２６】
本実施形態において、通常再生用の画像データの輝度データの有効画素数は、水平方向に１４４０サンプル、垂直方向に１０８０サンプルである。また、色差データの有効画素数は、水平方向に７２０サンプル、垂直方向に５４０サンプルである。
【００２７】
この１画面分の画像データは、図５に示されるように、水平方向に９０（＝１４４０÷１６）個、垂直方向に６８（＝１０８０÷１６（小数点切り上げ））個のマクロブロック（ＭＢ）に区分される。すなわち、１画面は、９０×６８の６１２０マクロブロックに区分される。
【００２８】
輝度信号Ｙの１つのマクロブロックは、８画素×８画素毎の４個のＤＣＴブロックから構成される。そして、特殊再生用画像データとして、各ＤＣＴブロックのＤＣ成分を抽出し、それぞれ６ビットのデータに変換する。また、色差信号ＣｂおよびＣｒの８画素×８画素のそれぞれのＤＣＴブロックからＤＣ成分を抽出し、それぞれ５ビットのデータに変換する。この様に、一つのマクロブロックにおける輝度信号から得られた４サンプルのデータと、色差信号から得られた２サンプルのデータで、特殊再生用画像データを構成する。即ち、通常再生用の画像データの一つのマクロブロックのデータを３４（＝６×４＋５×２）ビットのデータに変換し、特殊再生用画像データを生成する。
【００２９】
更に、この様に変換した特殊再生用画像データを記録する際、図６（Ａ）に示すベースデータ用マクロブロックと、図６（Ｂ）に示すヘルパーデータ用のマクロブロックの２種類に分けて記録する。ベースデータは、図２に示した１フレームの特殊再生用画像データが記録される９個のサーチユニットのうち、サーチユニット番号が０〜３サーチユニットに記録され、ヘルパーデータはサーチユニット番号が４〜８のサーチユニットに記録される。
【００３０】
ベースデータは、図６（Ａ）に示されるように、通常再生用の画像データにおける一つのマクロブロックの４個の輝度信号のＤＣＴブロックＹ０、Ｙ１、Ｙ２、Ｙ３のうち、左上のＤＣＴブロックＹ０のＤＣ成分を抽出して６ビットに変換したマクロブロックと、色差信号ＣｂおよびＣｒのＤＣＴブロックのＤＣ成分を抽出して、それぞれ５ビットのデータに変換したマクロブロックとの、３つのマクロブロックから構成される。
【００３１】
また、ヘルパーデータは、図６（Ｂ）に示されるように、輝度信号４個のＤＣｔブロックのうち、残りの３個のＤＣＴブロックＹ１乃至Ｙ３からＤＣ成分を抽出して６ビットに変換した３つのマクロブロックから構成される。
【００３２】
図７は、１フレームの特殊再生用画像データの様子を示す図である。本実施形態では、図７に示す１フレーム分の特殊再生用画像データを、図２におけるサーチユニット番号０〜８の９個のサーチユニットにわたって記録されている。
【００３３】
図７に示すように、１フレームの特殊再生用画像データは、水平方向に９０マクロブロック、垂直方向に６８マクロブロックで構成される。そして、この１フレームの特殊再生用画像データを０〜３３の３４個のブロック（サーチデータブロック）に分割する。そして、更に各ブロックを垂直方向に１マクロブロック毎に分割し、同期、ＩＤデータが付加されてテープＴに記録されている。このＩＤには、ＰＣＣデータと図７に示した各シンクブロックの位置を示す位置情報とが含まれており、再生時には、このＩＤと後述のＰＣＣの値とに基づいて、メモリ４０２における各シンクブロックの記録アドレスを決定する。
【００３４】
具体的には、ＥＣＣユニット内のトラック番号が０及び４のトラックに対し、サーチデータブロックの番号が１７から３３までの１７シンクブロック分のデータがそれぞれ２回づつ記録される。更に、サーチユニット番号０のＥＣＣユニットには、各サーチデータブロックの上から３番目のシンクブロックのデータが記録される。同様に、サーチユニット番号１、２、３の各ＥＣＣユニットには、それぞれ、各サーチデータブロックの上から１番目、４番目、２番目のシンクブロックのデータが記録される。
【００３５】
一方、ＥＣＣユニット内のトラック番号が２のトラックに対し、サーチデータブロックの番号が０から１６までの１７シンクブロック分のデータが３回づつ記録される。更に、サーチユニット番号０のＥＣＣユニットには、各サーチデータブロックの上から３番目のシンクブロックのデータが記録される。同様に、サーチユニット番号１、２、３の各ＥＣＣユニットには、それぞれ、各サーチデータブロックの上から１番目、４番目、２番目のシンクブロックのデータが記録される。
【００３６】
また、へルーパーデータについても同様に３４個のサーチデータブロックに分割され、サーチユニット番号４〜９のトラックに記録されている。
【００３７】
この様に記録された特殊再生用画像データの再生処理について説明する。
【００３８】
図８は特殊再生時の処理を示すフローチャートである。
【００３９】
特殊再生を開始すると、まず、ＰＣＣを検出できたシンクブロック数をカウントするための変数ＣＮＴを０にリセットし（Ｓ８０１）、テープから特殊再生用画像データを再生する（Ｓ８０２）。そして、再生された特殊再生用画像データ中のシンクブロック毎に、ＰＣＣが検出できたか否かを判別する（Ｓ８０３）。ＰＣＣが正しく検出できた場合、そのＰＣＣの値が直前に再生されたシンクブロックのＰＣＣと異なる値であるか否かを判別し（Ｓ８０４）、同じ値であった場合には、同一フレームのシンクブロックであるため、ＣＮＴに１を加える（Ｓ８１０）。
【００４０】
また、ＰＣＣの値が変化していた場合、その時点でのＣＮＴの値を第１の閾値であるＴｒ１と比較する（Ｓ８０５）。このＴｒ１は、このフレームの再生画像が表示可能な程度に良好な画像であるか否かを判別するための閾値であり、本実施形態では３とする。つまり、ベースデータについて、１フレームの特殊再生用画像データは３４×４＝１３６個のシンクブロックから構成されるため、この１３６個の内の４個以上シンクブロックが正しく再生された場合、表示画面として採用する。また、ＣＮＴがＴｒ１以下であった場合、その画面は表示せず、現在表示中の画面をそのまま表示する。
【００４１】
ＣＮＴの値がＴｒ１より大きい場合、更に、ＣＮＴの値を第２の閾値であるＴｒ２と比較する（Ｓ８０６）。このＴｒ２は、特殊再生モードから通常再生に移行する間にフロー図表示させる画面としてふさわしい画像であるか否かを判別するための閾値である。本実施形態では、Ｔｒ２を１３０とする。つまり、１フレームの１３６個のシンクブロックのうち、１３１個以上のシンクブロックが正しく再生された場合にのみ、フリーズ表示用の画像として採用する。
【００４２】
ＣＮＴがＴｒ２より大きかった場合には、フリーズ表示用の画像としてメモリ４０２に保存する（Ｓ８０７）。また、ＣＮＴがＴｒ１よりも大きく、Ｔｒ２以下であった場合、メモリ４０２の読み出しバンクを切り替え、表示画面を更新する（Ｓ８０８）。そして、ＣＮＴを１にセットする（Ｓ８０９）。
【００４３】
そして、通常再生モードへの切り替え指示があったか否かを判別し（Ｓ８１１）、切り替え指示がない場合、更に、再生停止の指示の有無を判別する（Ｓ８１２）。再生停止の指示があると再生を停止し、処理を終了する。また、再生停止の指示がない場合にはＳ８０２に戻る。
【００４４】
また、Ｓ８１１で通常再生への切り替え指示があった場合、その時点でフリーズ用画像として保存しておいたフレームの画像をメモリから読み出し、フリーズ表示する（Ｓ８１３）。この間、テープをサーチ再生の搬送速度から通常再生速度に切り替え、通常再生用画像データの再生を開始する。そして、通常再生用画像データの先頭フレームのデコードが完了したか否かを判別し（Ｓ８１４）、先頭画面のデコードが完了すると、通常再生画像に表示を切り替える（Ｓ８１５）。そして、通常再生処理に移行する。
【００４５】
この様に、本実施形態によれば、特殊再生モードから通常再生モードへの移行時にフリーズ表示する画像として、非常にエラーの少ない画像を保存している。そのため、モード移行時に見苦しい画像を表示することがない。
【００４６】
なお、本実施形態では、ベースデータのカウント値ＣＮＴを用いたが、ヘルパーデータのカウント値を用いることも可能である。また、同一フレームのデータであることを判別するためにＰＣＣの値を用いたが、サーチユニット番号など、他のデータを用いることも可能である。また、Ｔｒ１、Ｔｒ２の値は、それぞれ、表示用、フリーズ表示用として見苦しくない画像を表示可能な程度に、任意に設定することが可能である。
【００４７】
次に、他の実施形態について説明する。本実施形態でも、前述の実施形態と同様に、特殊再生用画像データをテープから再生する。
【００４８】
図９は本実施形態の処理を示すフローチャートである。
【００４９】
特殊再生を開始すると、まず、再生中のフレームのＰＣＣを検出できたシンクブロック数をカウントするための変数ＣＮＴ１、現在表示中のフレームのシンクブロック数を示すＣＮＴ２及び、直前に表示していたフレームのシンクブロック数を示すＣＮＴ３を０にリセットし（Ｓ９０１）、テープから特殊再生用画像データを再生する（Ｓ９０２）。そして、再生された特殊再生用画像データ中のシンクブロック毎に、ＰＣＣが検出できたか否かを判別する（Ｓ９０３）。ＰＣＣが正しく検出できた場合、そのＰＣＣの値が直前に再生されたシンクブロックのＰＣＣと異なる値であるか否かを判別し（Ｓ９０４）、同じ値であった場合には、同一フレームのシンクブロックであるため、ＣＮＴ１に１を加える（Ｓ９０９）。
【００５０】
また、ＰＣＣの値が変化していた場合、その時点でのＣＮＴ１の値を第１の閾値であるＴｒ１と比較する（Ｓ９０５）。ＣＮＴ１がＴｒ１以下であった場合、その画面は表示せず、現在表示中の画面をそのまま表示する。また、ＣＮＴ１がＴｒ１よりも大きかった場合、メモリ４０２の読み出しバンクを切り替え、表示画面を更新する（Ｓ９０６）。このとき、直前に表示していたフレームの画像データは、次に表示画面が更新されるまでメモリ４０２に保存しておく。そして、ＣＮＴ１の値をＣＮＴ２にセットし、ＣＮＴ３の値をＣＮＴ２にセットする（Ｓ９０７）。そして、ＣＮＴ１を１にセットする（Ｓ９０８）。
【００５１】
そして、通常再生モードへの切り替え指示があったか否かを判別し（Ｓ９１０）、切り替え指示がない場合、更に、再生停止の指示の有無を判別する（Ｓ９１１）。再生停止の指示があると再生を停止し、処理を終了する。また、再生停止の指示がない場合にはＳ９０２に戻る。
【００５２】
また、Ｓ９１０で通常再生への切り替え指示があった場合、現在表示中のフレームにおいて正しく再生されたシンクブロック数であるＣＮＴ２と、直前のフレームのシンクブロック数ＣＮＴ３とを比較する（Ｓ９１２）。ＣＮＴ２がＣＮＴ３以上の場合、現在表示中のフレームをそのままフリーズ表示する（Ｓ９１３）。また、ＣＮＴ３の方が大きかった場合、メモリ４０２に保存しておいた直前のフレームに表示画面を切り替え、フリーズ表示する（Ｓ９１４）。この間、テープをサーチ再生の搬送速度から通常再生速度に切り替え、通常再生用画像データの再生を開始する。そして、通常再生用画像データの先頭フレームのデコードが完了したか否かを判別し（Ｓ９１５）、先頭画面のデコードが完了すると、通常再生画像に表示を切り替える（Ｓ９１６）。そして、通常再生処理に移行する。
【００５３】
この様に、本実施形態によれば、特殊再生モードから通常再生モードへの移行時に、その直前のフレームの方がよりエラーが少ないと判断した場合には、直前の画面をフリーズ表示する。そのため、モード移行時に見苦しい画像を表示することがない。
【図面の簡単な説明】
【００５４】
【図１】テープ上の記録フォーマットを示す図である。
【図２】通常再生用の画像データと特殊再生用画像データの関係を示す図である。
【図３】サーチ再生モードから通常再生モードへの切り替え時の表示画面を示す図である。
【図４】本発明の実施形態における再生装置のブロック図である。
【図５】実施形態におけるマクロブロックの様子を示す図である。
【図６】特殊再生用画像データの構成を示す図である。
【図７】特殊再生用画像データの記録時のブロック構成を示す図である。
【図８】サーチ再生時の動作を示すフローチャートである。
【図９】サーチ再生時の動作を示すフローチャートである。
【図１】
2007074524.tif 000003
【図２】
2007074524.tif 000004
【図３】
2007074524.tif 000005
【図４】
2007074524.tif 000006
【図５】
2007074524.tif 000007
【図６】
2007074524.tif 000008
【図７】
2007074524.tif 000009
【図８】
2007074524.tif 000010
【図９】
2007074524.tif 000011